(57)【要約】【課題】  ペン先部の筆記部に対する液体インクの供給を円滑に行うことのできる筆記具用リフィル及び筆記具を提供する。【解決手段】  液体インクを貯留したインク貯留部と、インク貯留部から液体インクが供給される筆記部を先端に有するペン先部と、インク貯留部に接続されて該インク貯留部からの液体インクを吸蔵するインク吸蔵部材と、インク吸蔵部材とペン先部との間に介設されるとともにインク吸蔵部材からの液体インクを毛細管現象で保持して該インク吸蔵部材における液体インクの供給バランスを図るコレクタと、コレクタに貫設されるとともにインク吸蔵部材が吸蔵する液体インクをペン先部の筆記部に誘導するインク誘導部材と、インク貯留部とインク吸蔵部材との間の流通路内に形成される流入口形成部であって、流通路内に複数の流入口を画定する流入口形成部とを備えるようにする。【選択図】図３
2015136808.tif 000002
【特許請求の範囲】
【請求項１】
筆記具の外装を構成する胴軸に挿入される筆記具用リフィルであって、液体インクを貯留したインク貯留部と、インク貯留部から液体インクが供給される筆記部を先端に有するペン先部と、インク貯留部に接続されて該インク貯留部からの液体インクを吸蔵するインク吸蔵部材と、インク吸蔵部材とペン先部との間に介設されるとともにインク吸蔵部材からの液体インクを毛細管現象で保持して該インク吸蔵部材における液体インクの供給バランスを図るコレクタと、コレクタに貫設されるとともにインク吸蔵部材が吸蔵する液体インクをペン先部の筆記部に誘導するインク誘導部材と、インク貯留部とインク吸蔵部材との間の流通路内に形成される流入口形成部であって、流通路内に複数の流入口を画定する流入口形成部とを備えることを特徴とする筆記具用リフィル。
【請求項２】
流入口形成部は、流通路内を複数の領域に仕切る少なくとも一つの仕切部を有し、流入口は、流通路内における少なくとも一つの仕切部によって仕切られた複数の領域のそれぞれによって構成される請求項１に記載の筆記具用リフィル。
【請求項３】
仕切部は、流通路の中心線と直交する方向に延びる請求項２に記載の筆記具用リフィル。
【請求項４】
液体インクを貯留したインク貯留部と、インク貯留部から液体インクが供給される筆記部を先端に有するペン先部と、インク貯留部に接続されて該インク貯留部からの液体インクを吸蔵するインク吸蔵部材と、インク吸蔵部材とペン先部との間に介設されるとともにインク吸蔵部材からの液体インクを毛細管現象で保持して該インク吸蔵部材における液体インクの供給バランスを図るコレクタと、コレクタに貫設されるとともにインク吸蔵部材が吸蔵する液体インクをペン先部の筆記部に誘導するインク誘導部材と、インク貯留部とインク吸蔵部材との間の流通路内に形成される流入口形成部であって、流通路内に複数の流入口を画定する流入口形成部とを備えることを特徴とする筆記具。
【請求項５】
流入口形成部は、流通路内を複数の領域に仕切る少なくとも一つの仕切部を有し、流入口は、流通路内における少なくとも一つの仕切部によって仕切られた複数の領域のそれぞれによって構成される請求項４に記載の筆記具。
【請求項６】
仕切部は、流通路の中心線と直交する方向に延びる請求項５に記載の筆記具。
【発明の詳細な説明】
【技術分野】
【０００１】
本発明は、筆記具用リフィル及び筆記具に関する。
【背景技術】
【０００２】
従来から、筆ペンや、ボールペン、万年筆等の種々タイプの筆記具が提供されており、例えば、図６に示すように、外装を構成する筒状の胴軸４０と、該胴軸４０内で液体インクを貯留するインク貯留部４１と、胴軸４０から露出するとともに、インク貯留部４１から液体インクが供給される筆記部４２０（ペンポイント）を先端に有するペン先部４２とを備えるものがある。
【０００３】
この種の筆記具４において、胴軸４０は、長手をなしている。また、同軸４０は、長手方向における一方側で開口する空間が内部に形成されている。
【０００４】
また、筆記具４は、インク貯留部４１に接続されるとともに該インク貯留部４１からの液体インクを吸蔵するインク吸蔵部材４３と、該インク吸蔵部材４３とペン先部４２との間に介設されるとともにインク吸蔵部材４３からの液体インクを毛細管現象で保持して  該インク吸蔵部材４３における液体インクの供給バランスを図るコレクタ４４と、該コレクタ４４に挿通するとともにインク吸蔵部材４３が吸蔵した液体インクをペン先部４２の筆記部４２０に誘導するインク誘導部材４５とを備えている（例えば、特許文献１参照）。
【０００５】
そのため、この種の筆記具４は、インク貯留部４１内からインク吸蔵部材４３が吸蔵した液体インクをコレクタ４４が毛細管現象で保持することで、インク吸蔵部材４３における液体インクの供給バランスを図るように構成されている。従って、この種の筆記具４は、筆記部４２０に供給される液体インクが不足することを防止しつつ、筆記部４２０からの液体インク漏れや液体インクの垂れ落ちを防止することができるとされている。
【０００６】
ところで、この種の筆記具４は、上述の如く、インク吸蔵部材４３が吸蔵した液体インクが筆記部４２０から流出するようになっている。しかしながら、例えば、インク貯留部４１からインク吸蔵部材４３への液体インクの流通が止まると、インク吸蔵部材４３が保有する液体インクのみがコレクタ４４に供給されることになる。このような状態になると、筆記具４は、ペン先部４２の筆記部４２０から液体インクが流出する量が減少する。
【０００７】
そのため、筆記具４は、筆記に最適な液量の液体インクをペン先部４２の筆記部４２０に供給できなくなることがあった。
【先行技術文献】
【特許文献】
【０００８】
【特許文献１】特開２０１２−１３５９８２号公報
【発明の概要】
【発明が解決しようとする課題】
【０００９】
そこで、本発明は、斯かる実情に鑑み、インク貯留部からインク吸蔵部材への液体インクの流れを円滑にすることによって、筆記に最適な液量の液体インクをペン先部の筆記部に供給することのできる筆記具用リフィル及び筆記具を提供することを課題とする。
【課題を解決するための手段】
【００１０】
本発明に係る筆記具用リフィルは、筆記具の外装を構成する胴軸に挿入される筆記具用リフィルであって、液体インクを貯留したインク貯留部と、インク貯留部から液体インクが供給される筆記部を先端に有するペン先部と、インク貯留部に接続されて該インク貯留部からの液体インクを吸蔵するインク吸蔵部材と、インク吸蔵部材とペン先部との間に介設されるとともにインク吸蔵部材からの液体インクを毛細管現象で保持して該インク吸蔵部材における液体インクの供給バランスを図るコレクタと、コレクタに貫設されるとともにインク吸蔵部材が吸蔵する液体インクをペン先部の筆記部に誘導するインク誘導部材と、インク貯留部とインク吸蔵部材との間の流通路内に形成される流入口形成部であって、流通路内に複数の流入口を画定する流入口形成部とを備えることを特徴とする。
【００１１】
上記構成の筆記具用リフィルによれば、インク吸蔵部材が吸蔵した液体インクのみがインク誘導部材を介して筆記部に供給されるため、筆記部に対して液体インクが過剰に供給されることがない。そして、上記構成の筆記具用リフィルは、インク吸蔵部材がインク貯留部に接続されて該インク貯留部からの液体インクを吸蔵するように構成されているため、インク貯留部に液体インクが存在する間、インク吸蔵部材が最大吸蔵量の液体インクを吸蔵することになる。すなわち、上記構成の筆記具用リフィルは、インク貯留部に液体インクが存在する間、インク吸蔵部材が液体インクで飽和した状態となる。従って、上記構成の筆記具用リフィルは、筆記部に供給される液体インクが不足することがなく、筆記部の液体インクを潤沢にすることができ、良好な筆記が可能となる。
【００１２】
さらに、上記構成の筆記具用リフィルは、流通路内に複数の流入口を画定する流入口形成部を備える。すなわち、筆記具用リフィルは、流入口形成部が流通路内に該流通路よりも小さい流路面積の流入口を複数画定するように構成されている。
【００１３】
そのため、上記構成の筆記具用リフィルは、複数の流入口のうちの一部の流通口にインク貯留部内の液体インクを流通させつつ、当該流通口とは別の流通口にペン先部内に侵入した空気を流通させることができる。
【００１４】
このようにして、外部の空気がペン先部からインク貯留部に侵入すると、当該空気とインク貯留部内の液体インクとが置き換わる。すなわち、インク貯留部内の液体インクが、外部から侵入した空気によってインク貯留部外に押し出される。
【００１５】
従って、上記構成の筆記具用リフィルは、インク貯留部からインク吸蔵部材への液体インクの流れを円滑にすることができ、筆記に最適な液量の液体インクをペン先部の筆記部に供給することができる。
【００１６】
また、上記構成の筆記具用リフィルのインク吸蔵部材は、インク吸蔵部材とペン先部との間に介設されるコレクタによって、インク吸蔵部材における液体インクの供給バランスを図っている。すなわち、上記構成の筆記具用リフィルは、インク吸蔵部材の最大吸蔵量を超えた分の液体インクをコレクタで保持したり、コレクタで保持している液体インクをインク吸蔵部材に戻したりすることで、インク吸蔵部材における液体インクの供給バランスを図っている。
【００１７】
より具体的に説明すると、上記構成の筆記具用リフィルは、インク吸蔵部材が液体インクで飽和している状態でインク貯留部に液体インクが存在すると、インク吸蔵部材からペン先部側に液体インクが流出してしまう虞がある。
【００１８】
しかしながら、上記構成の筆記具用リフィルは、インク吸蔵部材からの液体インクをコレクタが毛細管現象で保持できるため、ペン先部（筆記部）に必要以上の液体インクが供給されることを防止できる。
【００１９】
さらに、上記構成の筆記具用リフィルは、コレクタが保持している液体インクをインク吸蔵部材に戻すこともできるため、インク吸蔵部材の液体インクが不足することを防止でき、インク誘導部材を介してインク吸蔵部材から筆記部に適度な量のインクを供給することができる。
【００２０】
従って、上記構成の筆記具用リフィルは、筆記部からのインク漏れや液体インクの垂れ落ちを確実に防止しつつ、筆記に最適な液量の液体インクを筆記部に供給することもできる。
【００２１】
本発明の筆記具用リフィルの一態様として、流入口形成部は、流通路内を複数の領域に仕切る少なくとも一つの仕切部を有し、流入口は、流通路内における少なくとも一つの仕切部によって仕切られた複数の領域のそれぞれによって構成されるようにしてもよい。
【００２２】
このようにしても、筆記具用リフィルは、通路内に該流通路よりも小さい流路面積の流入口を複数画定することができる。そのため、筆記具用リフィルは、インク貯留部内の液体インクを複数の流入口のうちの一部の流通口に流通させつつ、ペン先部内に侵入した空気を当該流通口とは別の流通口に流通させることができる。
【００２３】
従って、インク貯留部内の液体インクが、外部から侵入した空気によってインク貯留部から押し出されるため、インク貯留部からインク吸蔵部材への液体インクの流れが円滑になり、筆記に最適な液量の液体インクをペン先部の筆記部に供給することができる。
【００２４】
本発明の筆記具用リフィルの他態様として、仕切部は、流通路の中心線と直交する方向に延びるようにしてもよい。
【００２５】
このようにすれば、筆記具用リフィルは、複数の流入口を流通路内に偏りなく配置することができ、さらに、複数の流入口の面積のそれぞれを均等又は略均等にすることができる。従って、上記構成の筆記具用リフィルは、インク吸蔵部材に対して偏りなく液体インクを供給することができる。
【００２６】
本発明に係る筆記具は、液体インクを貯留したインク貯留部と、インク貯留部から液体インクが供給される筆記部を先端に有するペン先部と、インク貯留部に接続されて該インク貯留部からの液体インクを吸蔵するインク吸蔵部材と、インク吸蔵部材とペン先部との間に介設されるとともにインク吸蔵部材からの液体インクを毛細管現象で保持して該インク吸蔵部材における液体インクの供給バランスを図るコレクタと、コレクタに貫設されるとともにインク吸蔵部材が吸蔵する液体インクをペン先部の筆記部に誘導するインク誘導部材と、インク貯留部とインク吸蔵部材との間の流通路内に形成される流入口形成部であって、流通路内に複数の流入口を画定する流入口形成部とを備えることを特徴とする。
【００２７】
上記構成の筆記具によれば、インク吸蔵部材が吸蔵した液体インクのみがインク誘導部材を介して筆記部に供給されるため、筆記部に対して液体インクが過剰に供給されることがない。そして、上記構成の筆記具は、インク吸蔵部材がインク貯留部に接続されて該インク貯留部からの液体インクを吸蔵するように構成されているため、インク貯留部に液体インクが存在する間、インク吸蔵部材が最大吸蔵量の液体インクを吸蔵することになる。すなわち、上記構成の筆記具は、インク貯留部に液体インクが存在する間、インク吸蔵部材が液体インクで飽和した状態となる。従って、上記構成の筆記具は、筆記部に供給される液体インクが不足することがなく、筆記部の液体インクを潤沢にすることができ、良好な筆記が可能となる。
【００２８】
さらに、上記構成の筆記具は、流通路内に複数の流入口を画定する流入口形成部を備える。すなわち、筆記具は、流入口形成部は、流通路内に該流通路よりも小さい流路面積の流入口を複数画定する。
【００２９】
そのため、上記構成の筆記具は、複数の流入口のうちの一部の流通口にインク貯留部内の液体インクを流通させつつ、当該流通口とは別の流通口にペン先部内に侵入した空気を流通させることができる。
【００３０】
このようにして、外部の空気がペン先部からインク貯留部に侵入すると、当該空気とインク貯留部内の液体インクとが置き換わる。すなわち、インク貯留部内の液体インクが、外部から侵入した空気によってインク貯留部内から押し出される。
【００３１】
従って、上記構成の筆記具は、インク貯留部からインク吸蔵部材への液体インクの流れを円滑にすることができ、筆記に最適な液量の液体インクをペン先部の筆記部に供給することができる。
【００３２】
また、上記構成の筆記具は、インク吸蔵部材とペン先部との間に介設されるコレクタによって、インク吸蔵部材における液体インクの供給バランスを図っている。すなわち、上記構成の筆記具は、インク吸蔵部材の最大吸蔵量を超えた分の液体インクをコレクタで保持したり、コレクタで保持している液体インクをインク吸蔵部材に戻したりすることで、インク吸蔵部材における液体インクの供給バランスを図っている。
【００３３】
より具体的に説明すると、上記構成の筆記具は、上述の如く、インク吸蔵部材が液体インクで飽和している状態でインク貯留部に液体インクが存在すると、インク吸蔵部材からペン先部側に液体インクが流出してしまう虞がある。
【００３４】
しかしながら、上記構成の筆記具は、インク吸蔵部材からの液体インクをコレクタが毛細管現象で保持できるため、ペン先部（筆記部）に必要以上の液体インクが供給されることを防止できる。
【００３５】
さらに、上記構成の筆記具は、コレクタが保持している液体インクをインク吸蔵部材に戻すこともできるため、インク吸蔵部材の液体インクが不足することを防止でき、インク誘導部材を介してインク吸蔵部材から筆記部に適度な量のインクを供給することができる。
【００３６】
従って、本発明の筆記具は、筆記部からのインク漏れや液体インクの垂れ落ちを確実に防止しつつ、筆記に最適な液量の液体インクを筆記部に供給することができる。
【００３７】
本発明の筆記具の一態様として、流入口形成部は、流通路内を複数の領域に仕切る少なくとも一つの仕切部を有し、流入口は、流通路内における少なくとも一つの仕切部によって仕切られた複数の領域のそれぞれによって構成されるようにしてもよい。
【００３８】
このようにしても、筆記具は、通路内に該流通路よりも小さい流路面積の流入口を複数画定することができるため、インク貯留部内の液体インクを複数の流入口のうちの一部の流通口に流通させつつ、ペン先部内に侵入した空気を当該流通口とは別の流通口に流通させることができる。
【００３９】
従って、インク貯留部内の液体インクが、外部から侵入した空気によってインク貯留部から押し出されるため、インク貯留部からインク吸蔵部材への液体インクの流れが円滑になり、筆記に最適な液量の液体インクをペン先部の筆記部に供給することができる。
【００４０】
本発明の筆記具の他態様として、仕切部は、流通路の中心線と直交する方向に延びるようにしてもよい。
【００４１】
このようにすれば、筆記具は、複数の流入口を流通路内に偏りなく配置することができ、さらに、複数の流入口の面積のそれぞれを均等又は略均等にすることができる。従って、上記構成の筆記具は、インク吸蔵部材に対して偏りなく液体インクの供給を行うことができる。
【発明の効果】
【００４２】
以上のように、本発明に係る筆記具用リフィルによれば、インク貯留部からインク吸蔵部材への液体インクの流れを円滑にすることによって、筆記に最適な液量の液体インクをペン先部の筆記部への液体インクの供給を円滑に行うことができるという優れた効果を奏し得る。
【００４３】
また、本発明に係る筆記具においても、インク貯留部からインク吸蔵部材への液体インクの流れを円滑にすることによって、筆記に最適な液量の液体インクをペン先部の筆記部への液体インクの供給を円滑に行うことができるという優れた効果を奏し得る。
【図面の簡単な説明】
【００４４】
【図１】図１は、本発明の一実施形態に係る筆記具の全体図である。
【図２】図２は、同実施形態に係る筆記具の全体断面図である。
【図３】図３は、同実施形態に係る筆記具の部分拡大断面図であって、ペン先部、インク吸蔵部材、及びコレクタを含む部分拡大断面図である。
【図４】図４は、同実施形態に係る筆記具の部分拡大断面図であって、図４Ａは、図３におけるＩ−Ｉ線における断面図であり、図４Ｂは、図３におけるＩＩ−ＩＩ線における断面図であり、図４Ｃは、図３におけるＩＩＩ−ＩＩＩ線における断面図である。
【図５】図５は、本発明の他実施形態に係る筆記具の全体断面図である。
【図６】図６は、従来の筆記具の部分拡大断面図であって、ペン先部、インク吸蔵部材、及びコレクタを含む部分拡大断面図である。
【発明を実施するための形態】
【００４５】
以下、本発明の一実施形態に係る筆記具について、添付図面を参照しつつ説明する。
【００４６】
かかる筆記具は、図１に示す如く、外装を構成する胴軸２の一端側にペン先部３１が固定されている。
【００４７】
より具体的に説明すると、本実施形態に係る筆記具は、図２に示す如く、筒状の胴軸２と、該胴軸２に装着される筆記具用リフィル（以下、単にリフィルという）３とを備えている。
【００４８】
胴軸２は、一本の筒状体で構成されてもよいが、本実施形態においては、一端側が分離可能に構成されている。
【００４９】
また、胴軸２は、一方向に長手をなしており、長手方向における一方側で開口する空間が内部に形成されている。より具体的に説明すると、胴軸２は、筒状に形成される同軸本体２０を有する。同軸本体２０は、軸心方向における一端側のみが開口する。これにより、同軸２は、胴軸本体２０の一端側に対して着脱可能な先筒体２１を備える。
【００５０】
胴軸本体２０は、樹脂成型品で構成されている。また、胴軸本体２０は、一端側の外周面に雄ねじ２００が形成されている。
【００５１】
先筒体２１は、筒状に形成される。すなわち、先筒体２１は、軸心方向における両端が開口している。なお、本実施形態では、先筒体２１の一方側の端部を一端とし、他方側の端部を他端として以下の説明を行うこととする。
【００５２】
さらに、先筒体２１は、外観において一端側から他端側に向けて先細りするように外径が設定されている。そして、先筒体２１は、一端部の内周に雌ねじ２１０が形成されており、胴軸本体２０の雄ねじ２００に対して雌ねじ２１０を螺合させることで、該胴軸本体２０に対して同心で連結される。
【００５３】
先筒体２１は、内部の穴が段付き状に形成されており、一端側の穴が他端側の穴よりも大径になるように形成されている。本実施形態において、先筒体２１は、大径穴Ｈ１に後述する調整部材保持体３５が圧入され、小径穴Ｈ２にペン先部３１（ペン先保持体３１１）が挿通されている。これにより、本実施形態に係る先筒体２１は、調整部材保持体３５に固着された状態になっており、胴軸２の一構成でありながら、リフィル３の一構成にもなっている。
【００５４】
リフィル３は、液体インクを貯留したインク貯留部３０と、インク貯留部３０からの液体インクが供給される筆記部３１０を先端に有するペン先部３１と、インク貯留部３０に接続されて該インク貯留部３０からの液体インクを吸蔵するインク吸蔵部材３２と、該インク吸蔵部材３２とペン先部３１との間に介設され、インク吸蔵部材３２からの液体インクを毛細管現象で保持して該インク吸蔵部材３２における液体インクの供給バランスを図るコレクタ３３と、該コレクタ３３に貫設され、インク吸蔵部材３２が吸蔵する液体インクをペン先部３１の筆記部３１０に誘導するインク誘導部材３４とを備える。
【００５５】
また、リフィル３は、筒状に形成されるとともにインク貯留部３０の内部と連続する第一開口端及び該第一開口端とは反対側の第二開口端を有する調整部材保持体３５であって、インク吸蔵部材３２及び該コレクタ３３を内装する調整部材保持体３５を備えている。
【００５６】
そして、リフィル３は、インク貯留部３０とインク吸蔵部材３２との間の流通路内に形成される流入口形成部３６であって、流通路内に複数の流入口Ｒを画定する流入口形成部３６とを備える。
【００５７】
インク貯留部３０は、液体インクを収容する空間を液密に画定しており、内部に流動性のある低粘度の液体インクが充填されている。
【００５８】
より具体的に説明すると、インク貯留部３０は、長手をなしており、長手方向における一方側で開口する空間が内部に形成されている。換言すると、インク貯留部３０は、筒状に形成される。そして、インク貯留部３０は、軸心方向における一端部が閉塞され、他端部が開口される。
【００５９】
そして、インク貯留部３０は、他端部にインク吸蔵部材３２を保持した調整部材保持体３５が接続される。これにより、インク貯留部３０は、内部が液密になるため、液体インクを内部に充填した状態で維持できるようになっている。なお、本実施形態に係る筆記具に採用される液体インクは、流動性のあるものであればよく、顔料を含む水性インクや蛍光インク等の各種インクは勿論のこと、当該筆記具１が筆ペンである場合には、液体インクとして墨液が採用される。
【００６０】
ペン先部３１は、図３に示す如く、供給された液体インクを保持可能に構成された筆記部３１０と、該筆記部３１０を保持するペン先保持体３１１とを備えている。
【００６１】
筆記部３１０は、液体インクを毛細管力や吸液力で保持可能なフェルトチップや毛束等で構成されたものや、液体インクを外面に付着させるもの等で構成される。本実施形態において、筆記部３１０は、複数の毛Ｂ…を束ねた毛束で構成されている。複数の毛Ｂ…は、樹脂繊維であり、それぞれの一端が一体的に溶着されることで毛束を構成している。そして、筆記部３１０は、複数の毛Ｂ…を溶着することによって、一端部に毛束の径方向外方に延出したフランジＦが形成されている。
【００６２】
ペン先保持体３１１は、筒状に構成され、筆記部３１０が先端側を外部に延出させるようにして挿通されている。そして、ペン先保持体３１１は、調整部材保持体３５の一端部に対して圧入されており、該調整部材保持体３５に対して固定されている。本実施形態に係る筆記具１は、上述の如く、胴軸２の先筒体２１がリフィル３の一構成になっているため、ペン先保持体３１１の先端部に径方向外方に突出した掛止爪３１２が形成されており、先筒体２１の先端側を該掛止爪３１２と調整部材保持体３５の先端とで挟み込んで固定するようになっている。
【００６３】
本実施形態に係るリフィル３は、インク吸蔵部材３２及びコレクタ３３が共通の調整部材保持体３５によって保持されている。調整部材保持体３５は、上述の如く、両端が開口した筒状に形成されており、第一開口端がインク貯留部３０（筒状体）の他端部（開口している端部）に対して同心で圧入されることで、インク貯留部３０に対して液密に接続されている。
【００６４】
インク吸蔵部材３２は、綿やフェルト等の吸液性を有する繊維材で構成されており、調整部材保持体３５の一端側の所定範囲に充填されている。そして、本実施形態に係るインク吸蔵部材３２は、液体インクの最大吸蔵量がインク貯留部３０における液体インクの最大貯留量よりも小さく設定されている。本実施形態において、インク吸蔵部材３２の液体インクの最大吸蔵量は、インク貯留部３０の液体インクの最大貯留量の０．０３倍〜０．１５倍に設定されている。
【００６５】
コレクタ３３は、中心線上にインク誘導部材３４を貫設するための貫通穴Ｈが穿設された主軸部３３１と、該主軸部３３１の軸線方向に間隔をあけて配置され、該主軸部３３１の外面から延出する複数の仕切羽３３２とを備えている。主軸部３３１は、両端部に径方向外方に延出した鍔部３３３が形成されており、両鍔部３３３間の外面に複数の仕切羽３３２が延設されている。
【００６６】
複数の仕切羽３３２のそれぞれは、何れも主軸部３３１の略全周から延出して円環状をなしている。複数の仕切羽３３２のそれぞれは、隣り合う仕切羽３３２間に毛細管力で液体インクが流れ込むように間隔が設定されており、一般的に、主軸部３３１の軸線方向において他端側に向かうにつれて広くなるように配置されている。
【００６７】
一方の鍔部３３３及び複数の仕切羽３３２のそれぞれには、図４Ａ及び図４Ｂに示す如く、主軸部３３１からの延出方向に延びるスリットＳが該主軸部３３１の軸線方向で一列をなすように形成されている。なお、本実施形態に係る筆記具１（コレクタ３３）は、スリットＳが仕切羽３３２を超えて主軸部３３１内に入り込むように形成されている。
【００６８】
また、複数の仕切羽３３２のそれぞれには、図４Ａに示す如く、スリットＳに対して仕切羽３３２の周方向でずれた位置に空気交換用の切欠部Ｃが設けられている。該切欠部Ｃは、仕切羽３３２が延出方向の先端から基端（主軸部３３１側）に向けて切り欠かれて形成されており、主軸部３３１の軸線方向から見た開口面積がスリットＳよりも広く設定されている。
【００６９】
そして、コレクタ３３は、図４Ａに示す如く、一方の鍔部３３３をインク吸蔵部材３２と対向させた状態でインク吸蔵部材３２よりも他端側に位置するように調整部材保持体３５内に嵌入されている。すなわち、コレクタ３３は、鍔部３３３をインク吸蔵部材３２に接近させた状態で調整部材保持体３５内に嵌入されている。これにより、一方の鍔部３３３のスリットＳは、インク吸蔵部材３２と対向した状態になっている。
【００７０】
なお、図示しないが、筆記具１は、調整部材保持体３５のコレクタ３３が嵌入される位置よりも他端側が内外に連通しており、外部から空気を取り込めるようになっている。すなわち、調整部材保持体３５内を密閉にすると、液体インクの消費に伴って内部圧力が低くなったときに、液体インクを筆記部３１０に供給できなくなるため、当該筆記具１は、調整部材保持体３５内に外部から空気を取り込めるようになっている。
【００７１】
インク誘導部材３４は、いわゆる、中継芯である。より具体的に説明すると、インク誘導部材３４は、全体が吸液性を有したもので、棒状に形成されている。すなわち、インク誘導部材３４は、吸液性の優れた素材（連続気泡の形成された樹脂成型品やフェルト等の繊維材等）で構成され、当該素材がインク吸蔵部材３２とペン先部３１（筆記部３１０）とに跨る長さの棒状に成型されたものである。
【００７２】
そして、該インク誘導部材３４は、コレクタ３３（主軸部３３１）の貫通穴Ｈに挿入された状態で、一端側がインク吸蔵部材３２（綿等）に刺し込まれ、他端側がペン先部３１（筆記部３１０）に刺し込まれている。なお、本実施形態に係る筆記具１は、筆記部３１０とコレクタ３３との間に環状のスペーサー３７が介装されており、インク誘導部材３４の他端側は、スペーサー３７に挿通された状態で筆記部３１０に刺し込まれている。これにより、インク誘導部材３４は、インク吸蔵部材３２が吸蔵した液体インクを筆記部３１０に供給できるようになっている。
【００７３】
流入口形成部３６は、図４Ｃに示す如く、流通路内を複数の領域に仕切る少なくとも一つの仕切部３６０を有する。本実施形態に係る筆記具１は、調整部材保持体３５の第一開口端の内周によって流通路が画定されている。そのため、流入口形成部３６は、調整部材保持体３５の第一開口端を複数の領域に仕切る少なくとも一つ（本実施形態では、二つ）の仕切部３６０を有する。
【００７４】
二つの仕切部３６０は、仕切部３６０は、調整部材保持体３５の第一開口端の中心線と直交する方向に延びる。そのため、本実施形態にかかる調整部材保持体３５は、該調整部材保持体３５の第一開口端における四つの仕切部３６０によって仕切られた複数の領域のそれぞれによって複数の流入口Ｒが構成されている。さらに、二つの仕切部３６０は、インク吸蔵部材３２に当接している。すなわち、流入口形成部３６は、二つの仕切部３６０とインク吸蔵部材３２との間に隙間が生じないように構成されている。これにより、筆記具１は、流入口形成部３６（仕切部３６０）によって、インク吸蔵部材３２のインク貯留部３０側への移動が規制されている。
【００７５】
本実施形態に係る筆記具１は、以上の通りである。筆記具１のリフィル３は、インク吸蔵部材３２がインク貯留部３０に接続されるため、インク貯留部３０内の液体インクが複数の流入口Ｒを通じて調整部材保持体３５に流れ込む。
【００７６】
そして、インク貯留部３０内の液体インクが複数の流入口Ｒを通じて調整部材保持体３５に流れ込むと、該インク吸蔵部材３２が液体インクを吸蔵するように構成されている。そのため、インク貯留部３０に液体インクが存在する間、インク吸蔵部材３２が最大吸蔵量の液体インクを吸蔵することになる。すなわち、筆記具１のリフィル３は、インク貯留部３０に液体インクが存在する間、インク吸蔵部材３２が液体インクで飽和した状態となる。
【００７７】
これにより、筆記具１のリフィル３は、インク吸蔵部材３２の吸蔵した液体インクがインク誘導部材３４を介して筆記部３１０（ペン先部３１）に供給される。
【００７８】
そして、筆記具１のリフィル３は、インク吸蔵部材３２の液体インクの最大吸蔵量がインク貯留部３０における液体インクの最大貯留量よりも小さく設定されているため、液体インク残量の多少に拘わらずインク貯留部３０内に液体インクが存在する間、インク吸蔵部材３２の液体インクが潤沢になり、インク吸蔵部材３２が液体インクで飽和した状態になる。
【００７９】
特に、インク吸蔵部材３２の液体インクの最大吸蔵量は、インク貯留部３０の液体インクの最大貯留量の０．０３倍〜０．１５倍であるため、インク吸蔵部材３２が吸蔵する液体インクの吸蔵量よりも、インク貯留部３０に貯留される液体インクの貯留量が格段に多くなるため、使用開始からインク貯留部３０の液体インクを使い切るとき又は使い切る直前まで、インク吸蔵部材３２の液体インクが潤沢になり、液体インクが無くなる或いは略無くなるまで良好な筆記が可能となる。
【００８０】
このように、筆記具１のリフィル３は、インク吸蔵部材３２が吸蔵している液体インクのみが筆記部３１０に対して順次供給されるため、筆記部３１０の液体インクが潤沢になるが、インク貯留部３０にペン先部３１が直接接続された従来の筆記具１やリフィル３のように筆記部３１０に対して液体インクが過剰に供給されることがない。
【００８１】
さらに、筆記具１のリフィル３は、インク吸蔵部材３２とペン先部３１との間に介設されるコレクタ３３によって、インク吸蔵部材３２における液体インクの供給バランスを図っている。すなわち、筆記具１のリフィル３は、インク吸蔵部材３２の最大吸蔵量を超えた分の液体インクをコレクタ３３で保持したり、コレクタ３３で保持している液体インクをインク吸蔵部材３２に戻したりすることで、インク吸蔵部材３２における液体インクの供給バランスを図っている。
【００８２】
より具体的に説明すると、筆記用１のリフィル３は、インク吸蔵部材３２が液体インクで飽和している状態でインク貯留部３０に液体インクがあるとインク吸蔵部材３２からペン先部３１側に液体インクが流出してしまう虞がある。しかしながら、本実施形態に係るリフィル３は、インク吸蔵部材３２の液体インクをコレクタ３３が毛細管現象で保持できるため、ペン先部３１に必要以上の液体インクが供給されることを防止できる。
【００８３】
本実施形態に係るリフィル３のコレクタ３３は、主軸部３３１の外周に延設された複数の仕切羽３３２及び鍔部３３３に対して主軸部３３１の軸線方向で一列をなすようにスリットＳが形成されているため、インク吸蔵部材３２から流出した液体インクが鍔部３３３及び仕切羽３３２のスリットＳ（一列をなす複数のスリットＳ）による毛細管現象でコレクタ３３内に引き込まれ、該コレクタ３３内に引き込まれた液体インクは、複数の仕切羽３３２間の毛細管力で仕切羽３３２同士の間に引き込まれることになる。
【００８４】
これにより、インク吸蔵部材３２の最大吸蔵量を超えた分の液体インク（インク吸蔵部材３２から溢れ出た液体インク）がコレクタ３３に保持される結果、インク吸蔵部材３２から溢れ出ようとする液体インクがインク誘導部材３４に誘導されて筆記部３１０にまで導かれることがない。
【００８５】
そして、筆記具１のリフィル３は、上述の如く、コレクタ３３が保持している液体インクをインク吸蔵部材３２に戻すこともできる。より具体的に説明すると、筆記具１のリフィル３は、コレクタ３３が大気開放された領域内に配置され、また、仕切羽３３２のスリットＳと異なる位置に切欠部Ｃが設けられているため、コレクタ３３の保持していた液体インクをスリットＳからインク吸蔵部材３２に戻すことで、インク誘導部材３４を介して筆記部３１０に供給できるようになっている。
【００８６】
従って、筆記具１のリフィル３は、筆記部３１０からのインク漏れや液体インクの垂れ落ちを確実に防止しつつ、筆記に最適な液量の液体インクをペン先部３１の先端にある筆記部３１０に供給することができる。
【００８７】
また、本実施形態において、筆記具１のリフィル３は、流通路内に複数の流入口Ｒを画定する流入口形成部３６を備える。すなわち、筆記具用リフィル３は、流入口形成部３６が流通路内に該流通路よりも小さい流路面積の流入口Ｒを複数画定するように構成されている。
【００８８】
そのため、筆記具１のリフィル３は、複数の流入口Ｒのうちの一部の流通口にインク貯留部３０内の液体インクを流通させつつ、当該流通口とは別の流通口にペン先部３１内に侵入した空気を流通させることができる。
【００８９】
このようにして、外部の空気がペン先部３１からインク貯留部３０に侵入すると、当該空気とインク貯留部３０内の液体インクとが置き換わる。すなわち、インク貯留部３０内の液体インクが、外部から侵入した空気によってインク貯留部３０内から押し出される。すなわち、インク貯留部３０内が陰圧状態になることでペン先部３１からの液体インクの流出が滞ることを防止できる。
【００９０】
従って、筆記具１のリフィル３は、インク貯留部３０からインク吸蔵部材３２への液体インクの流れを円滑にすることができ、筆記に最適な液量の液体インクをペン先部３１の筆記部に供給することができる。
【００９１】
なお、本発明は、上記実施形態に限定されるものではなく、本発明の要旨を逸脱しない範囲で適宜変更可能であることは勿論のことである。
【００９２】
上記実施形態において、筆記具１の外装を構成する胴軸２に対して装着するリフィル３にインク貯留部３０、ペン先部３１、インク吸蔵部材３２、及びコレクタ３３を設けるようにしたが、これに限定されるものではなく、例えば、図５に示す如く、インク貯留部３０及び調整部材保持体３５の外径を使用者が把持するのに適した外径に設定し、インク貯留部３０及び調整部材保持体３５で筆記具１の外装を構成する胴軸２とし、その構成のみで筆記具１としてもよい。
【００９３】
上記実施形態において、ペン先部３１の筆記部３１０を毛束で構成したが、これに限定されるものではなく、例えば、筆記部３１０は、上述の如く、フェルトチップで構成してもよいし、ペン先保持体３１１に回転自在に装着されたボールで構成したりしてもよい。また、ペン先部３１を万年筆のペン先で構成しても勿論よい。すなわち、本発明は、液体インクを貯留するインク貯留部３０と該インク貯留部３０に貯留された液体インクが供給されるペン先部３１とを備えたものであれば、ペンの種類に関係なく適用可能である。
【００９４】
上記実施形態において、調整部材保持体３５は、第一開口端が四つの仕切部３６０によって仕切られていたが、これに限定されるものではなく、例えば、仕切部３６０は、一つであってもよいし、三つ以上であってもよい。
【００９５】
上記実施形態において、流入口形成部３６（仕切部３６０）は、調整部材保持体３５に一体的に形成されていたが、これに限定されるものではなく、例えば、流入口形成部３６は、調整部材保持体３５とは別体で構成した部材を調整部材保持体３５の第一開口端に隣接させるように構成してもよい。
【００９６】
上記実施形態において、流入口形成部３６は、調整部材保持体３５の第一開口を複数の領域に仕切る仕切部３６０を有するように構成されていたが、これに限定されるものではなく、例えば、流入口形成部３６は、調整部材保持体３５の第一開口を塞ぐ閉塞部であって、複数の貫通穴が形成される閉塞部を有するようにしてもよい。この場合、複数の貫通穴のそれぞれは、閉塞部全体に対して偏りなく形成されることが好ましい。
【００９７】
上記実施形態において、インク貯留部３０と調整部材保持体３５とを別体で成型し、これらを連結するようにしたが、これに限定されるものではなく、例えば、インク貯留部３０と調整部材保持体３５とを一体的に成型したものであってもよい。また、これとは逆に、調整部材保持体３５をインク吸蔵部材３２の保持する部分とコレクタ３３の保持する部分とに分割して形成し、該分割した調整部材保持体３５を連結した上で、当該調整部材保持体３５をインク貯留部３０に連結するようにしてもよい。
【００９８】
上記実施形態において、胴軸２を胴軸本体２０と先筒体２１とで構成し、先筒体２１をリフィル３の一構成にもしたが、これに限定されるものではなく、例えば、先筒体２１をリフィル３から独立した構成にし、胴軸本体２０にリフィル３を挿入した上で、先筒体２１を胴軸本体２０に螺合させるようにしたものであってもよい。この場合、先筒体２１は、胴軸本体２０に螺合した状態で、ペン先部３１の少なくとも筆記部３１０が外部に露出した状態を維持させつつリフィル３が胴軸本体２０から抜け出るのを阻止できるように構成することは言うまでもない。
【００９９】
上記実施形態において、インク吸蔵部材３２における液体インクの最大吸蔵量をインク貯留部３０における液体インクの最大貯留量よりも小さくなるようにしたが、これに限定されるものではなく、例えば、インク吸蔵部材３２における液体インクの最大吸蔵量とインク貯留部３０における液体インクの最大貯留量とが同量になるようにしてもよいし、インク吸蔵部材３２における液体インクの最大吸蔵量をインク貯留部３０における液体インクの最大貯留量よりも小さくなるようにしてもよい。
【０１００】
但し、このようにすれば、初期の段階（インク貯留部３０にある液体インクの量が最大貯留量と略同等の量であり、且つインク吸蔵部材３２が吸蔵する液体インクが最大吸蔵量である場合）において、インク吸蔵部材３２の液体インクが潤沢になるが、筆記に伴う液体インクの消費でインク貯留部３０の液体インクがインク吸蔵部材３２に順次吸蔵され、早い段階でインク貯留部３０内の全ての液体インクがインク吸蔵部材３２に吸蔵されてしまう。
【０１０１】
そうすると、インク貯留部３０内の液体インクが無くなってインク吸蔵部材３２にしか液体インクが存在しなくなってしまうため、インク吸蔵部材３２の吸液性が抵抗となって筆記部３１０に液体インクが供給されにくくなる状況が早い段階で発生してしまう。従って、収容した液体インクが無くなる又は略無くなる段階まで筆記部３１０に液体インクを適正に供給するには、上記実施形態と同様に、インク吸蔵部材３２における液体インクの最大吸蔵量がインク貯留部３０における液体インクの最大貯留量よりも小さく設定されることが好ましく、インク吸蔵部材３２の液体インクの最大吸蔵量がインク貯留部３０の液体インクの最大貯留量の０．０３倍〜０．１５倍（中央値が０．０９倍）に設定されることがより好ましい。
【符号の説明】
【０１０２】
１…筆記具、２…胴軸、３…リフィル、４…筆記具、２０…胴軸本体、２１…先筒体、３０…インク貯留部、３１…ペン先部、３２…インク吸蔵部材、３３…コレクタ、３４…インク誘導部材、３５…調整部材保持体、３６…流入口形成部、３７…スペーサー、３１０…筆記部、３１１…ペン先保持体、３１２…掛止爪、３３１…主軸部、３３２…仕切羽、３３３…鍔部、３３３…両鍔部、３３３…鍔部、３６０…仕切部、Ｂ…毛、Ｃ…切欠部、Ｆ…フランジ、Ｈ…貫通穴、Ｈ１…大径穴、Ｈ２…小径穴、Ｒ…流入口、Ｓ…スリット
【図１】
2015136808.tif 000003
【図２】
2015136808.tif 000004
【図３】
2015136808.tif 000005
【図４】
2015136808.tif 000006
【図５】
2015136808.tif 000007
【図６】
2015136808.tif 000008